(57)【特許請求の範囲】
【請求項１】
箱体と、この箱体内に配置されて貫流送風機を構成する羽根車の下流側に設けられた吹出し風路の背面を形成する背面板と、上記吹出し風路の前面を形成し上記羽根車寄りに配置されて上記吹出し風路の吹出縁部側が上記背面板により構成された基準面から離れる方向に傾斜した第一吹出面、この第一吹出面の吹出端側に配置されて上記吹出縁部側が上記基準面から離れる方向に傾斜した第二吹出面及びこの第二吹出面の吹出端側に設けられて上記吹出縁部側が上記基準面から離れる方向に２０°〜３０°傾斜した第三吹出面を有する前面板とを備えた空気調和機用室内機。
【請求項２】
吹出し風路の吹出縁部側が基準面から離れる方向に０°〜５°傾斜した第一吹出面とし、上記吹出縁部側が基準面から離れる方向に７°〜１５°傾斜した第二吹出面とすると共に、上記第一吹出面、第二吹出面及び第三吹出面の互いに対向した接続部に形成されて傾斜が連続的に変化する曲面を備えたことを特徴とする請求項１記載の空気調和機用室内機。
【請求項３】
第一吹出面の奥行き寸法と吹出し風路の高さ寸法の比、第二吹出面の奥行き寸法と吹出し風路の高さ寸法の比及び第三吹出面の奥行き寸法と吹出し風路の高さ寸法の比をそれぞれ０．３以上としたことを特徴とする請求項１及び請求項２のいずれか一つに記載の空気調和機用室内機。
【請求項４】
背面板の吹出口縁部を形成した縁部体及び上記背面板の吹出口寄りに設けられて上記縁部体よりも羽根車側に配置された偏向体を備え、上記偏向体の上記吹出口における吹出し方向に沿う奥行き寸法を吹出し風路の高さ寸法の０．３以下とし、かつ上記偏向体の上面を先端部が基部よりも基準面から離れる方向に１０°〜２５°傾斜して配置し、上記吹出し風路における上記背面板に沿う気流を上記吹出口に設けられた風向板に沿う方向に誘導したことを特徴とする請求項１〜請求項３のいずれか一つに記載の空気調和機用室内機。
【発明の詳細な説明】
【０００１】
【発明の属する技術分野】
この発明は、室内機の要部が貫流送風機によって構成された空気調和機用室内機に関する。
【０００２】
【従来の技術】
図８及び図９は、例えば実公平７−４９２８８号公報に示された従来の空気調和機用室内機に類似した空気調和機用室内機を示す図で、図８は空気調和機用室内機の横断側面図、図９は図８の空気調和機用室内機における吹出し気流の状況を説明する図８相当図である。図において、１は室内（図示しない）に設置された分離型空気調和機の室内機の箱体で、室内機の要部が貫流送風機によって構成されている。
【０００３】
２は貫流送風機の羽根車、３は羽根車２の下流側、すなわち吹出し側に設けられて箱体１に開口した吹出し風路で、背面側を形成した背面板４及び前面側を形成した前面板５によって構成され、また吹出口６が形成されている。７は吹出口６に互いに離れ吹出口６の長手に平行に配置され、水平方向の軸線を介して吹出口６に枢着された二枚の風向板で、図８に示すように角度Ｅの範囲で回動可能に装備されている。８は箱体１に設けられて羽根車２の上流側に配置された熱交換器である。
【０００４】
従来の空気調和機用室内機は上記のように構成され、羽根車２が電動機（図示しない）によって駆動されて回転し、空気にエネルギーを与えて送風昇圧する。そして、直線による一定角度のテーパー状に構成されて吹出口６側が拡幅した吹出し風路３に、送風され昇圧された空気流が導かれて吹出口６から図９に矢印Ｐに示すように吹出される。このような構成によって吹出し風路３により吹出し空気の静圧回復を図ると共に、ディフューザ作用を得るようになっている。
【０００５】
また、駆動機構（図示しない）によって風向板７を駆動して姿勢を変化させることによって吹出し気流の方向が制御されるようになっている。
なお、室内空気が熱交換器８を通過する際に、熱交換されて冷風又は温風となって吹出口６から室内に吹出されて空気調整作用が行われる。
【０００６】
【発明が解決しようとする課題】
上記のような従来の空気調和機用室内機において、吹出し風路３によるディフューザ作用は十分でなく、吹出し風路３の広がり角度を大きくすることが必要になる。しかし、吹出し風路３の広がり角度を過度に大きくすると、吹出し気流が不安定になり騒音が増大することになる。
【０００７】
また、貫流送風機による吸入空気の速度エネルギー成分である動圧を、吹出し風路３によって静圧に回復する作用が不十分であり、さらに吹出口６の開口幅方向、すなわち図９における左右方向の広がりが狭く最適なディフューザ作用が得られないという問題点があった。
また、水平風向又は下方風向を得るための吹出口６に配置された風向板７の偏向角度が大きくなって、風向板７による吹出し損失が増し風量が減少したり、騒音が増大したりするという問題点があった。
【０００８】
この発明は、かかる問題点を解消するためになされたものであり、吸入空気の動圧を静圧に有効に回復して所要の吹出性能が得られ、騒音の少ない空気調和機用室内機を得ることを目的とする。
【０００９】
【課題を解決するための手段】
この発明に係る空気調和機用室内機においては、箱体と、この箱体内に配置されて貫流送風機を構成する羽根車の下流側に設けられた吹出し風路の背面を形成する背面板と、吹出し風路の前面を形成し羽根車寄りに配置されて吹出し風路の吹出縁部側が背面板により構成された基準面から離れる方向に傾斜した第一吹出面、この第一吹出面の吹出端側に配置されて吹出縁部側が基準面から離れる方向に傾斜した第二吹出面及びこの第二吹出面の吹出端側に設けられて吹出縁部側が基準面から離れる方向に２０°〜３０°傾斜した第三吹出面を有する前面板とが設けられる。
【００１０】
また、この発明に係る空気調和機用室内機においては、吹出し風路の吹出縁部側が基準面から離れる方向に０°〜５°傾斜した第一吹出面とし、吹出し風路の吹出縁部側が基準面から離れる方向に７°〜１５°傾斜した第二吹出面とすると共に、第一吹出面、第二吹出面及び第３吹出面の互いに対向した接続部に形成されて傾斜が連続的に変化する曲面が設けられる。
【００１１】
また、この発明に係る空気調和機用室内機においては、第一吹出面の奥行き寸法と吹出し風路の高さ寸法の比、第二吹出面の奥行き寸法と吹出し風路の高さ寸法の比及び第三吹出面の奥行き寸法と吹出し風路の高さ寸法の比がそれぞれ０．３以上に設定される。
【００１２】
また、この発明に係る空気調和機用室内機においては、背面板の吹出口縁部を形成した縁部体及び背面板の吹出口寄りに設けられて縁部体よりも羽根車側に配置された偏向体を備え、偏向体の吹出口における吹出し方向に沿う奥行き寸法を吹出し風路の高さ寸法の０．３以下とし、かつ偏向体の上面を先端部が基部よりも基準面から離れる方向に１０°〜２５°傾斜して配置し、吹出し風路における背面板に沿う気流が吹出口に設けられた風向板に沿う方向に誘導される。
【００１３】
【発明の実施の形態】
実施の形態１．
図１〜図５は、この発明の実施の形態の一例を示す図で、図１は空気調和機用室内機の横断側面図、図２は図１の空気調和機用室内機における吹出し気流の状況を説明する図１相当図、図３は後述する吹出し風路の構成に関わる騒音・風量の特性を示すグラフ、図４は後述する吹出し風路の吹出面の奥行き寸法に関わる騒音・風量の特性を示すグラフ、図５は後述する吹出し風路における偏向体の奥行き寸法に関わる騒音・風量の特性を示すグラフである。
【００１４】
図において、１は室内（図示しない）に設置された分離型空気調和機の室内機の箱体で、室内機の要部が貫流送風機によって構成されている。２は貫流送風機の羽根車、３は羽根車２の下流側、すなわち吹出し側に設けられて箱体１に開口した吹出し風路で、背面側を形成した背面板４及び前面側を形成し後述するように構成された前面板５によって構成され、また吹出口６が形成されている。
【００１５】
７は吹出口６に互いに離れ吹出口６の長手に平行に配置され、水平方向の軸線を介して吹出口６に枢着された二枚の風向板で、図１に示すように角度Ｅの範囲で回動可能に装備されている。８は箱体１に設けられて羽根車２の上流側に配置された熱交換器である。
【００１６】
また、前面板５は次に述べる第一吹出面、第二吹出面及び第３吹出面によって構成されている。すなわち、９は第一吹出面で、羽根車２寄りに配置されて吹出し風路３の吹出縁部側が、背面板４により構成された基準面１０から離れる方向に配置されて、基準面１０に対して図１に示す角度Ｘにおいて０°〜５°傾斜して設けられている。
【００１７】
１１は第二吹出面で、第一吹出面９の吹出端側に配置されて吹出し風路３の吹出縁部側が基準面１０から離れる方向に配置されて、基準面１０に対して図１に示す角度Ｙにおいて７°〜１５°傾斜して設けられている。１２は第三吹出面で、第二吹出面１１の吹出端側に配置されて吹出し風路３の吹出縁部側が基準面１０から離れる方向に配置されて、基準面１０に対して図１に示す角度Ｚにおいて２０°〜３０°傾斜して設けられている。
【００１８】
なお、第一吹出面９、第二吹出面１１及び第３吹出面１２が相互に対向した接続部には図１に示すように傾斜が連続的に変化する曲面が形成されている。
また、図１において、ＬＡは第一吹出面９の奥行き寸法、ＬＢは第二吹出面１１の奥行き寸法、ＬＣは第三吹出面１２の奥行き寸法、Ｗは吹出し風路３の高さ寸法である。
【００１９】
１３は背面板４の吹出口６寄りに設けられて吹出口６の長手に平行に配置された偏向体で、基部よりも先端部が基準面１０から離れる方向に配置されて、上面が基準面１０に対して図１に示す角度θにおいて１０°〜２５°傾斜して設けられ、また偏向体１３の吹出口６における吹出し方向に沿う長さ、すなわち奥行き寸法が吹出し風路３の高さ寸法の０．３以下に形成されている。
【００２０】
１３１は偏向体１３よりも吹出口６端に形成されて背面板４の吹出口６縁部を形成した縁部体である。
１４は第三吹出面１２の吹出口６側の端部に設けられて吹出口６の長手に平行に配置された先端風向板である。
【００２１】
上記のように構成された空気調和機用室内機の吹出口装置において、羽根車２が電動機（図示しない）によって駆動されて回転し、空気にエネルギーを与えて送風昇圧する。そして、吹出し風路３が次に述べるように構成される。すなわち、第一吹出面９、第二吹出面１１及び第三吹出面１２によって図２に示す状態に、すなわち横断面において奥行き方向の中間部が突出した凸面形状に湾曲した状態の前面板５と背面板４によって構成されて、前面側が湾曲した末広がり形状をなし吹出口６側が拡幅した形状に形成される。
【００２２】
そして、この吹出し風路３に、送風昇圧された空気流が導かれて吹出口６から図２に矢印Ｑに示すように吹出される。これにより、吹出し風路３により吹出した空気が静圧を回復し、またディフューザ作用が発生する。また、駆動機構（図示しない）によって風向板７を駆動して姿勢を変化させることによって吹出し気流の方向が制御される。
なお、室内空気が熱交換器８を通過する際に、熱交換されて冷風又は温風となって吹出口６から室内に吹出されて空気調整作用が行われる。
【００２３】
そして、図１〜図５の実施の形態において、第三吹出面１２が基準面１０に対して図１に示す角度Ｚにおいて２０°〜３０°傾斜して設けられている。これによって、貫流送風機による吸入空気の動圧を吹出し風路３によって静圧に有効に回復することができる。また、吹出し気流が前面板５から剥離することなく吹出される。このため、有効な送風作用が得られて安定した吹出し気流であって騒音が少なく、また吹出し風路３による吹出し気流の所要のディフューザ作用が得られる。
【００２４】
また、図１〜図５の実施の形態において、第一吹出面９が基準面１０に対して図１に示す角度Ｘにおいて０°〜５°傾斜して設けられる。また、第二吹出面１１が基準面１０に対して図１に示す角度Ｙにおいて７°〜１５°傾斜して設けられる。また、第三吹出面１２が基準面１０に対して図１に示す角度Ｚにおいて２０°〜３０°傾斜して設けられている。このため、図３（ａ）（ｂ）（ｃ）に示すような特性により、吹出し風路３において吹出し気流が図２に矢印Ｑに示すように広角度に吹出される。
【００２５】
このため、水平風向又は下方風向を得るための吹出口６に配置された風向板７の偏向角度を小さくすることができる。したがって、風向板７による水平風向又は下方風向の吹出し圧損を少なくすることができ、風量が減少したり、騒音が増大したりすることを防ぐことができる。これにより、静粛に運転でき、かつ容易に所要の吹出性能を得ることができる。
【００２６】
また、図１〜図５の実施の形態において、図１に示す吹出し風路３の高さ寸法Ｗに対する第一吹出面９の奥行き寸法ＬＡ、第二吹出面１１の奥行き寸法ＬＢ、第三吹出面１２の奥行き寸法ＬＣを、ＬＡ／Ｗ、ＬＢ／Ｗ、ＬＣ／Ｗ≧０．３とする。この条件によって得られる吹出し風路３形状によって、貫流送風機の羽根車２により生じる吸入空気の動圧を十分に静圧回復することができる。
【００２７】
したがって、図４に示すような特性により、羽根車２が同じ回転速度である場合において風量が増加し、また同一風量である場合において騒音減となる送風性能を得ることができる。
【００２８】
また、図１〜図５の実施の形態において、背面板４の吹出口６寄りに偏向体１３が設けられて、上面が基準面１０に対して図１に示す角度θにおいて１０°〜２５°傾斜して配置され、また偏向体１３の吹出口６における吹出し方向に沿う長さ、すなわち奥行き寸法が吹出し風路３の高さ寸法の０．３以下に形成されている。これによって、小さい偏向角度で風向板７を設定しても、容易に所要の水平風向又は下方風向を得ることができる。
【００２９】
すなわち、水平風向又は下方風向の同じ風向に対して風向板７の偏向角度を小さくすることができる。このため、風向板７による水平風向又は下方風向の吹出し圧損が少なくなり、図５に示すような特性により同一風向であって同一騒音であるときに対して風量が増加する送風性能を得ることができる。
【００３０】
実施の形態２．
図６は、この発明の他の実施の形態の一例を示す図で、前述の図１相当図であり、図６の他は前述の図１〜図５の実施の形態と同様に空気調和機用室内機が構成されている。図において、図１〜図５と同符号は相当部分を示す。
【００３１】
１５は背面板４の吹出口６寄りに設けられて吹出口６の長手に平行に配置された偏向体で、基部よりも先端部が基準面１０から離れる方向に配置されて、上面が基準面１０に対して図６に示すように適宜な角度の傾斜に設定され、吹出口６寄りに引退凹所が形成される。また、偏向体１５の吹出口６における吹出し方向に沿う長さ、すなわち奥行き寸法が吹出し風路３の高さ寸法の０．３以下に形成される。
【００３２】
上記のように構成された空気調和機用室内機の吹出口装置において、羽根車２が電動機によって駆動され、また第一吹出面９、第二吹出面１１及び第三吹出面１２による前面板５と背面板４によって構成された吹出し風路３が設けられる。また、偏向体１５及び先端風向板１４が装備される。
【００３３】
したがって、詳細な説明を省略するが図６の実施の形態においても図１〜図５の実施の形態と同様な作用が得られる。
なお、断熱材製の偏向体１５とすることによって、吹出し風路３を冷却気流が通過するときの露付耐力を向上することができる。
【００３４】
さらに、背面板４の吹出口６縁部を形成した縁部体１３１及び背面板４の吹出口６寄りに設けられて縁部体１３１よりも羽根車２側に配置された偏向体１５の両者が設けられる。これにより、上記両者間の引退凹所おいて、吹出し風路３における空気の流れの偏向体１５に対する切れをよくすることができ、露付を防ぐことができ、また上記両者の間により容易に露処理を行うことができる。
【００３５】
実施の形態３．
図７も、この発明の他の実施の形態の一例を示す図で、前述の図１相当図であり、図７の他は前述の図１〜図５の実施の形態と同様に空気調和機用室内機が構成されている。図において、図１〜図５及び図６と同符号は相当部分を示し、１７は板体からなる偏向体１５の裏面に装着された植毛シートである。
【００３６】
上記のように構成された空気調和機用室内機において、羽根車２が電動機によって駆動され、また第一吹出面９、第二吹出面１１及び第三吹出面１２による前面板５と背面板４によって構成された吹出し風路３が設けられる。また、偏向体１５及び先端風向板１４が装備される。したがって、詳細な説明を省略するが図７の実施の形態においても図１〜図５及び図６の実施の形態と同様な作用が得られる。
【００３７】
また、図７の実施の形態において、板体からなる偏向体１５の裏面に植毛シート１７が装着されるので、吹出し風路３を冷却気流が通過して発生する結露を回収することができる。
【００３８】
【発明の効果】
この発明は以上説明したように、箱体と、この箱体内に配置されて貫流送風機を構成する羽根車の下流側に設けられた吹出し風路の背面を形成する背面板と、吹出し風路の前面を形成し羽根車寄りに配置されて、吹出し風路の吹出縁部側が背面板により構成された基準面から離れる方向に傾斜した第一吹出面、この第一吹出面の吹出端側に配置されて吹出縁部側が基準面から離れる方向に傾斜した第二吹出面及びこの第二吹出面の吹出端側に設けられて吹出縁部側が基準面から離れる方向に２０°〜３０°傾斜した第三吹出面を有する前面板とを設けたものである。
【００３９】
このように、第三吹出面の吹出し風路の吹出縁部側が基準面から離れる方向に２０°〜３０°傾斜して装備されているので、貫流送風機による吸入空気の動圧を吹出し風路によって十分静圧に回復することができ、また吹出し気流が前面板から剥離することなく吹出される。このため、有効な送風作用が得られて安定した吹出し気流であって運転を静粛化でき、かつ吹出し風路による所要のディフューザ作用を得る効果がある。
【００４０】
また、この発明は以上説明したように、吹出し風路の吹出縁部側が基準面から離れる方向に０°〜５°傾斜した第一吹出面とし、吹出し風路の吹出縁部側が基準面から離れる方向に７°〜１５°傾斜した第二吹出面とすると共に、第一吹出面、第二吹出面及び第３吹出面の互いに対向した接続部に形成されて傾斜が連続的に変化する曲面を設けたものである。
【００４１】
このように、第一吹出面、第二吹出面及び第３吹出面の吹出し風路の吹出縁部側が基準面から離れる方向にそれぞれ傾斜して装備されているので、貫流送風機による吸入空気の動圧を吹出し風路によって十分静圧に回復することができ、また吹出し気流が前面板から剥離することなく、また広角度に吹出される。このため、有効な送風作用が得られて安定した吹出し気流であって運転を静粛化でき、かつ吹出し風路による所要のディフューザ作用を得る効果がある。
【００４２】
さらに、水平風向又は下方風向を得るための吹出し風路の吹出口に配置された風向板の偏向角度を小さくすることができる。したがって、風向板による水平風向又は下方風向の吹出し圧損を少なくすることができ、風量が減少したり、騒音が増大したりすることを防ぐことができる。これにより、静粛に運転でき、かつ吹出性能を向上する効果がある。
【００４３】
また、この発明は以上説明したように、第一吹出面の奥行き寸法と吹出し風路の高さ寸法の比、第二吹出面の奥行き寸法と吹出し風路の高さ寸法の比及び第三吹出面の奥行き寸法と吹出し風路の高さ寸法の比をそれぞれ０．３以上に設定したものである。
【００４４】
そして、第三吹出面の吹出し風路の吹出縁部側が基準面から離れる方向に２０°〜３０°傾斜して装備することにより、貫流送風機による吸入空気の動圧を吹出し風路によって十分静圧に回復することができ、また吹出し気流が前面板から剥離することなく吹出される。このため、有効な送風作用が得られて安定した吹出し気流であって運転を静粛化でき、かつ吹出し風路による所要のディフューザ作用を得る効果がある。
【００４５】
また、各吹出面の奥行き寸法と吹出し風路の高さ寸法の比を０．３以上に設定することによって得られる吹出し風路の形状によって、貫流送風機の羽根車により生じる吸入空気の動圧を十分に静圧回復することができる。したがって、羽根車が同じ回転速度である場合において風量が増加し、また同一風量である場合において騒音減となる送風性能を得る効果がある。
【００４６】
また、この発明は以上説明したように、背面板の吹出口縁部を形成した縁部体及び背面板の吹出口寄りに設けられて縁部体よりも羽根車側に配置された偏向体を備え、偏向体の吹出口における吹出し方向に沿う奥行き寸法を吹出し風路の高さ寸法の０．３以下とし、かつ偏向体の上面を先端部が基部よりも基準面から離れる方向に１０°〜２５°傾斜して配置し、吹出し風路における背面板に沿う気流を吹出口に設けられた風向板に沿う方向に誘導するものである。
【００４７】
そして、第三吹出面の吹出し風路の吹出縁部側が基準面から離れる方向に２０°〜３０°傾斜して装備することにより、貫流送風機による吸入空気の動圧を吹出し風路によって十分静圧に回復することができ、また吹出し気流が前面板から剥離することなく吹出される。このため、有効な送風作用が得られて安定した吹出し気流であって運転を静粛化でき、かつ吹出し風路による所要のディフューザ作用を得る効果がある。
【００４８】
また、背面板の吹出口寄りに偏向体が基準面から離れる方向に１０°〜２５°傾斜して配置されるので、小さい偏向角度で風向板を設定しても、容易に所要の水平風向又は下方風向を得ることができる。このため、風向板による水平風向又は下方風向の吹出し圧損が少なくなり、同一風向であって同一騒音であるときに対して風量が増加する送風性能を得る効果がある。
【００４９】
また偏向体の吹出口における吹出し方向に沿う奥行き寸法が吹出し風路の高さ寸法の０．３以下に形成されている。このため、小さい偏向角度で風向板を設定しても、容易に所要の水平風向又は下方風向を得る効果がある。
【００５０】
さらに、背面板の吹出口縁部を形成した縁部体及び背面板の吹出口寄りに設けられて縁部体よりも羽根車側に配置された偏向体との両者の間において、吹出し風路における空気の流れの偏向体に対する切れをよくすることができる。このため、露付を防ぐ効果があり、また上記両者の間によって露処理を容易化する効果がある。
【図面の簡単な説明】
【図１】この発明の実施の形態１を示す図で、空気調和機用室内機の横断側面図。
【図２】図１の空気調和機用室内機における吹出し気流の状況を説明する図１相当図。
【図３】図１における吹出し風路の構成に関わる騒音・風量の特性を示すグラフ。
【図４】図１の吹出し風路の吹出面の奥行き寸法に関わる騒音・風量の特性を示すグラフ。
【図５】図１の吹出し風路における偏向体の奥行き寸法に関わる騒音・風量の特性を示すグラフ。
【図６】この発明の実施の形態２を示す図で、前述の図１相当図。
【図７】この発明の実施の形態３を示す図で、前述の図１相当図。
【図８】従来の空気調和機用室内機を示す図で、空気調和機用室内機の横断側面図。
【図９】図８の空気調和機用室内機における吹出し気流の状況を説明する図８相当図。
【符号の説明】
１  箱体、２  羽根車、３  吹出し風路、４  背面板、５  前面板、６  吹出口、７  風向板、９  第一吹出面、１０  基準面、１１  第二吹出面、１２  第三吹出面、１３  偏向体、１３１  縁部体。
【図１】
0003589803.tif 000002
【図２】
0003589803.tif 000003
【図３】
0003589803.tif 000004
【図４】
0003589803.tif 000005
【図５】
0003589803.tif 000006
【図６】
0003589803.tif 000007
【図７】
0003589803.tif 000008
【図８】
0003589803.tif 000009
【図９】
0003589803.tif 000010